(57)【要約】【課題】ジョブの実行中に画面表示が行われることによるジョブの実行速度の低下を簡素な構成で抑制可能な画像処理装置及び画面表示方法を提供すること。【解決手段】画像処理装置は、バス８０で接続されたメモリー８８にアクセスして画像処理に関するジョブを実行するジョブ実行部８１〜８５と、ジョブ実行部８１〜８５によりジョブが実行されていない場合は第１画面データをメモリー８８に記憶させ、ジョブ実行部８１〜８５によりジョブが実行されている場合は第１画面データよりデータ量が少ない第２画面データをメモリー８８に記憶させる画面データ処理部と、バス８０で接続されたメモリー８８に記憶される第１画面データ又は第２画面データに基づいて画面を表示する表示処理部８６とを備える。【選択図】図３
2016111465.tif 000002
【特許請求の範囲】
【請求項１】
バスで接続されたメモリーにアクセスして画像処理に関するジョブを実行するジョブ実行部と、
前記ジョブ実行部により前記ジョブが実行されていない場合は予め定められた第１画面データを前記メモリーに記憶させ、前記ジョブ実行部により前記ジョブが実行されている場合は前記第１画面データよりデータ量が少ない予め定められた第２画面データを前記メモリーに記憶させる画面データ処理部と、
前記バスで接続された前記メモリーに記憶される前記第１画面データ又は前記第２画面データに基づいて画面を表示する表示処理部と、
を備える画像処理装置。
【請求項２】
前記第２画面データに基づいて表示される画面の表示色が、前記第１画面データに基づいて表示される画面の表示色より少ない請求項１に記載の画像処理装置。
【請求項３】
前記表示処理部が、予め設定されたカラーテーブルで指定された色を用いて前記第２画面データに基づく画面表示を行う請求項２に記載の画像処理装置。
【請求項４】
前記第２画面データに基づいて表示される画面サイズが、前記第１画面データに基づいて表示される画面サイズより小さい請求項１〜３のいずれかに記載の画像処理装置。
【請求項５】
前記表示処理部が、前記第２画面データに基づく表示画面を拡大する請求項４に記載の画像処理装置。
【請求項６】
前記ジョブが、スキャンジョブ、プリントジョブ、ファクスジョブ、及びコピージョブのいずれか一つ又は複数を含む請求項１〜５のいずれかに記載の画像処理装置。
【請求項７】
バスで接続されたメモリーにアクセスして画像処理に関するジョブを実行する第１ステップと、
前記第１ステップにより前記ジョブが実行されていない場合は予め定められた第１画面データを前記メモリーに記憶させ、前記第１ステップにより前記ジョブが実行されている場合は前記第１画面データよりデータ量が少ない予め定められた第２画面データを前記メモリーに記憶させる第２ステップと、
前記バスで接続された前記メモリーに記憶される前記第１画面データ又は前記第２画面データに基づいて画面を表示する第３ステップと、
を含む画面表示方法。
【発明の詳細な説明】
【技術分野】
【０００１】
本発明は、画像処理装置及び画像処理装置における画面表示方法に関する。
【背景技術】
【０００２】
一般に、複写機のような画像処理装置には、ユーザーが画像処理装置に対して操作入力を行うためのタッチパネルなどの操作表示部が設けられている（例えば、特許文献１参照）。この種の画像処理装置を利用するユーザーは、操作表示部に表示される画面に従って操作入力を行うことで、画像処理装置にコピージョブなどの画像処理に関するジョブを実行させることが可能である。
【先行技術文献】
【特許文献】
【０００３】
【特許文献１】特開２０００−２３１４７３号公報
【発明の概要】
【発明が解決しようとする課題】
【０００４】
ところで、画像処理装置においてジョブの実行中に操作表示部に画面表示が行われる場合には、ジョブを実行するモジュールと操作表示部に画面を表示させるモジュールとの間のメモリーへのアクセスの競合により、ジョブの実行速度が低下することがある。これに対し、モジュール各々とメモリーとを接続するバスのパフォーマンスを向上させることが考えられるが、その分コスト又は消費電力が増大する。また、画面データを記憶するための内部メモリーを操作表示部に画面を表示させるモジュールに設けることが考えられるが、その分コストが増大する。
【０００５】
本発明の目的は、ジョブの実行中に画面表示が行われることによるジョブの実行速度の低下を簡素な構成で抑制可能な画像処理装置及び画面表示方法を提供することにある。
【課題を解決するための手段】
【０００６】
本発明の一の局面に係る画像処理装置は、ジョブ実行部と、画面データ処理部と、表示処理部とを備える。前記ジョブ実行部は、バスで接続されたメモリーにアクセスして画像処理に関するジョブを実行する。前記画面データ処理部は、前記ジョブ実行部により前記ジョブが実行されていない場合は予め定められた第１画面データを前記メモリーに記憶させ、前記ジョブ実行部により前記ジョブが実行されている場合は前記第１画面データよりデータ量が少ない予め定められた第２画面データを前記メモリーに記憶させる。前記表示処理部は、前記バスで接続された前記メモリーに記憶される前記第１画面データ又は前記第２画面データに基づいて画面を表示する。
【０００７】
本発明の他の局面に係る画面表示方法は、以下の第１ステップから第３ステップまでを含む。前記第１ステップは、バスで接続されたメモリーにアクセスして画像処理に関するジョブを実行する。前記第２ステップは、前記第１ステップにより前記ジョブが実行されていない場合は予め定められた第１画面データを前記メモリーに記憶させ、前記第１ステップにより前記ジョブが実行されている場合は前記第１画面データよりデータ量が少ない予め定められた第２画面データを前記メモリーに記憶させる。前記第３ステップは、前記バスで接続された前記メモリーに記憶される前記第１画面データ又は前記第２画面データに基づいて画面を表示する。
【発明の効果】
【０００８】
本発明によれば、ジョブの実行中に画面表示が行われることによるジョブの実行速度の低下を簡素な構成で抑制可能な画像処理装置及び画面表示方法が実現される。
【図面の簡単な説明】
【０００９】
【図１】図１は、本発明の実施形態に係る画像処理装置の構成を示す図である。
【図２】図２は、本発明の実施形態に係る画像処理装置のシステム構成を示すブロック図である。
【図３】図３は、本発明の実施形態に係る画像処理装置の第２制御部の構成を示すブロック図である。
【図４】図４は、本発明の実施形態に係る画像処理装置で実行される表示画面制御処理の一例を示すフローチャートである。
【発明を実施するための形態】
【００１０】
以下、添付図面を参照しながら、本発明の実施形態について説明し、本発明の理解に供する。なお、以下の実施形態は、本発明を具体化した一例であって、本発明の技術的範囲を限定する性格のものではない。
【００１１】
［画像処理装置１０の概略構成］
まず、図１及び図２を参照しつつ、本発明の実施形態に係る画像処理装置１０の概略構成について説明する。ここで、図１は、画像処理装置１０の断面模式図である。
【００１２】
図１及び図２に示すように、画像処理装置１０は、ＡＤＦ１、画像読取部２、画像形成部３、給紙部４、第１制御部５、操作表示部６、記憶部７、及び第２制御部８を備える。画像処理装置１０は、画像データに基づいて画像を形成するプリント機能と共に、スキャン機能、ファクシミリ機能、又はコピー機能などの複数の機能を有する複合機である。また、本発明は、スキャナー装置、プリンター装置、ファクシミリ装置、及びコピー機などの画像処理装置に適用可能である。
【００１３】
ＡＤＦ１は、原稿セット部、複数の搬送ローラー、原稿押さえ、及び排紙部を備え、画像読取部２によって読み取られる原稿を搬送する自動原稿搬送装置である。画像読取部２は、原稿台、光源、複数のミラー、光学レンズ、及びＣＣＤ（Charge Coupled Device）を備え、原稿から画像データを読み取る画像読取処理を実行可能である。
【００１４】
画像形成部３は、画像読取部２で読み取られた画像データ又は外部のパーソナルコンピューター等の情報処理装置から入力された画像データに基づいて、電子写真方式で画像を形成する画像形成処理（印刷処理）を実行可能である。具体的に、画像形成部３は、感光体ドラム、帯電装置、光走査装置（ＬＳＵ）、現像装置、転写ローラー、クリーニング装置、定着ローラー、加圧ローラー、及び排紙トレイを備える。そして、画像形成部３では、給紙部４から供給されるシートに画像が形成されて、画像形成後の前記シートが前記排紙トレイに排出される。なお、前記シートは、紙、コート紙、ハガキ、封筒、及びＯＨＰシートなどのシート材料である。
【００１５】
第１制御部５は、不図示のＣＰＵ、ＲＯＭ、ＲＡＭ、及びＥＥＰＲＯＭ（登録商標）などの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部であり、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、第１制御部５は、前記ＲＯＭに予め記憶された各種の制御プログラムを前記ＣＰＵを用いて実行することにより画像処理装置１０を統括的に制御する。
【００１６】
操作表示部６は、第１制御部５からの制御指示に応じて各種の情報を表示する液晶ディスプレーなどの表示部、及びユーザーの操作に応じて第１制御部５に各種の情報を入力する操作キー又はタッチパネルなどの操作部を有する。
【００１７】
記憶部７は、ＳＳＤ（ソリッドステートドライブ）又はＨＤＤ（ハードディスクドライブ）などの記憶装置である。記憶部７には、画像読取部２で読み取られた画像データなどが記憶される。
【００１８】
ここで、画像処理装置１０では、第１制御部５が前記制御プログラムを実行することで画像処理に関するジョブが実行される。具体的に、画像処理装置１０で実行される前記ジョブには、スキャンジョブ、プリントジョブ、ファクスジョブ、及びコピージョブが含まれる。
【００１９】
前記スキャンジョブは、画像読取部２によって読み取られた原稿の画像データを外部の情報処理装置に送信するジョブである。前記プリントジョブは、外部の情報処理装置から送信される画像データを画像形成部３に印刷させるジョブである。前記ファクスジョブは、外部のファクス通信装置との間でファクス通信を実行するジョブである。具体的に、前記ファクスジョブは、画像読取部２によって読み取られた原稿の画像データを外部のファクス通信装置に送信するファクス送信ジョブ、及び外部のファクス通信装置から送信される画像データを画像形成部３に印刷させるファクス受信ジョブを含む。前記コピージョブは、画像読取部２によって読み取られた原稿の画像データを画像形成部３に印刷させるジョブである。
【００２０】
なお、前記スキャンジョブは、画像読取部２によって読み取られた原稿の画像データを記憶部７に記憶させるものであってもよい。また、前記プリントジョブは、記憶部７に記憶されている画像データを画像形成部３に印刷させるものであってもよい。
【００２１】
ところで、以上のような構成を備える従来の画像処理装置において、ジョブの実行中に操作表示部６に画面表示が行われる場合には、ジョブを実行するモジュールと操作表示部６に画面を表示させるモジュールとの間のメモリーへのアクセスの競合により、ジョブの実行速度が低下することがある。これに対し、モジュール各々とメモリーとを接続するバスのパフォーマンスを向上させることが考えられるが、その分コスト又は消費電力が増大する。また、画面データを記憶するための内部メモリーを操作表示部６に画面を表示させるモジュールに設けることが考えられるが、その分コストが増大する。これに対し、画像処理装置１０では、以下に説明するように、ジョブの実行中に画面表示が行われることによるジョブの実行速度の低下を簡素な構成で抑制することが可能である。
【００２２】
以下、図３及び図４を参照しつつ、第２制御部８について説明する。
【００２３】
第２制御部８は、画像処理装置１０を統括的に制御する第１制御部５とは別に設けられ、画像処理装置１０の有する機能各々を担う複数のモジュールを備える集積回路である。例えば、第２制御部８はＡＳＩＣとして構成される。
【００２４】
具体的に、第２制御部８は、図３に示すように、画像入力部８１、画像処理部８２、画像出力部８３、ネットＩ／Ｆ８４、ファクスＩ／Ｆ８５、表示処理部８６、メモリーコントローラー８７、メモリー８８、及び調停部８９を備える。また、第２制御部８において、画像入力部８１、画像処理部８２、画像出力部８３、ネットＩ／Ｆ８４、ファクスＩ／Ｆ８５、表示処理部８６、メモリーコントローラー８７、及び調停部８９は、バス８０を介して相互に通信可能に接続されている。
【００２５】
画像入力部８１は、画像読取部２の前記ＣＣＤから入力される画像データに対してシェーディング補正処理、ガンマ補正処理などの画像処理を実行し、画像処理後の画像データをメモリー８８又は記憶部７に記憶させる。
【００２６】
画像処理部８２は、メモリー８８から読み出した画像データに対して画像処理を実行し、画像処理後の画像データをメモリー８８に記憶させる。例えば、画像処理部８２は、画像データに対して圧縮伸張処理、回転処理、変倍処理などの画像処理を実行する。
【００２７】
画像出力部８３は、メモリー８８から画像データを読み出して、スクリーン処理などの画像処理を実行し、画像処理後の画像データを画像形成部３の前記光走査装置に出力する。
【００２８】
ネットＩ／Ｆ８４は、通信ネットワークを介して接続される外部の情報処理装置との間で通信を行うインターフェイスである。例えば、ネットＩ／Ｆ８４は、前記通信ネットワークを介して前記外部の情報処理装置から送信される画像データを受信してメモリー８８に記憶させる。
【００２９】
ファクスＩ／Ｆ８５は、電話回線網を介して接続される外部のファクス通信装置との間でファクス通信を行うインターフェイスである。例えば、ファクスＩ／Ｆ８５は、バス８０で伝送されるデジタル信号と前記電話回線網で伝送されるアナログ信号とを相互に変換可能なモデムを有する。
【００３０】
画像入力部８１、画像処理部８２、画像出力部８３、ネットＩ／Ｆ８４、及びファクスＩ／Ｆ８５は、第１制御部５から送信される制御信号に応じて、バス８０で接続されたメモリー８８にアクセスして前記ジョブを実行する。ここに、画像入力部８１、画像処理部８２、画像出力部８３、ネットＩ／Ｆ８４、ファクスＩ／Ｆ８５が、本発明におけるジョブ実行部の一例であり、以下、これらを区別する必要がない場合にはこれらをジョブ実行部８Ｘと呼称する。
【００３１】
例えば、第１制御部５は、操作表示部６に対して前記スキャンジョブの実行操作が行われた場合に、画像入力部８１、画像処理部８２、及びネットＩ／Ｆ８４に前記スキャンジョブを実行させる。また、第１制御部５は、外部の情報処理装置から送信される画像データを受信した場合に、画像処理部８２、画像出力部８３、及びネットＩ／Ｆ８４に前記プリントジョブを実行させる。
【００３２】
また、第１制御部５は、操作表示部６に対して前記ファクス送信ジョブの実行操作が行われた場合に、画像入力部８１、画像処理部８２、及びファクスＩ／Ｆ８５に前記ファクス送信ジョブを実行させる。また、第１制御部５は、外部のファクス通信装置から送信される画像データを受信した場合に、画像処理部８２、画像出力部８３、及びファクスＩ／Ｆ８５に前記ファクス受信ジョブを実行させる。そして、第１制御部５は、操作表示部６に対して前記コピージョブの実行操作が行われた場合に、画像入力部８１、画像処理部８２、及び画像出力部８３に前記コピージョブを実行させる。
【００３３】
表示処理部８６は、第１制御部５によりメモリー８８に記憶される画面データに基づいて画面を表示する。具体的に、表示処理部８６は、第１制御部５から送信される制御信号に応じて、メモリー８８から前記画面データを取得する。そして、表示処理部８６は、取得した前記画面データに基づく画面を操作表示部６に表示させる。なお、表示処理部６は、メモリー８８に定期的にアクセスすることで、操作表示部６に表示される画面の内容を維持又は変更する。
【００３４】
メモリーコントローラー８７は、ジョブ実行部８Ｘ及び表示処理部８６からのメモリー８８へのアクセス要求に応じて、メモリー８８に対する画像データの書込み処理及び読出し処理を実行する。
【００３５】
メモリー８８は、ジョブ実行部８Ｘ及び表示処理部８６による画像処理の作業領域として使用される記憶装置である。例えば、メモリー８８には、ＤＤＲ−ＳＤＲＡＭが用いられる。
【００３６】
調停部８９は、ジョブ実行部８Ｘ間又はジョブ実行部８Ｘ及び表示処理部８６間でメモリー８８へのアクセスが競合する場合に、ジョブ実行部８Ｘ及び表示処理部８６に予め設定された優先度に基づいてメモリー８８へのアクセスの競合を調停する。なお、調停部８９による調停方法は、従来周知の方法が用いられるものであってよい。
【００３７】
一方、第１制御部５は、図２に示すように、画面データ処理部５１を含む。具体的に、第１制御部５の前記ＲＯＭには、前記ＣＰＵに後述の表示画面制御処理（図４参照）を実行させるための表示画面制御プログラムが予め記憶されている。なお、前記表示画面制御プログラムは、ＣＤ、ＤＶＤ、フラッシュメモリなどのコンピューター読み取り可能な記録媒体に記録されており、前記記録媒体から読み取られて第１制御部５の前記ＥＥＰＲＯＭなどの記憶部にインストールされるものであってもよい。そして、第１制御部５は、前記ＣＰＵを用いて前記ＲＯＭに記憶されている前記表示画面制御プログラムを実行することにより、画面データ処理部５１として機能する。
【００３８】
画面データ処理部５１は、ジョブ実行部８Ｘにより前記ジョブが実行されていない場合は予め定められた第１画面データをメモリー８８に記憶させ、ジョブ実行部８Ｘにより前記ジョブが実行されている場合は前記第１画面データよりデータ量が少ない予め定められた第２画面データをメモリー８８に記憶させる。例えば、画面データ処理部５１は、ジョブ実行部８Ｘによる前記ジョブの実行の有無に応じて、予め前記ＲＯＭに記憶された前記第１画面データ及び前記第２画面データのいずれかをメモリー８８に記憶させる。
【００３９】
具体的に、画像処理装置１０では、前記第２画面データに基づいて表示される画面の表示色は、前記第１画面データに基づいて表示される画面の表示色より少ない。例えば、画像処理装置１０では、前記第１画面データの１画素当たりのデータ量が２４ビットであって前記第１画面データに基づいて表示される画面の表示色が１６７７万７２１６色であるのに対して、前記第２画面データの１画素当たりのデータ量は８ビットであって前記第２画面データに基づいて表示される画面の表示色は２５６色である。
【００４０】
そして、画面データ処理部５１は、表示処理部８６に制御信号を送信して、表示処理部８６にメモリー８８に記憶された前記第１画面データ又は前記第２画面データを取得させる。表示処理部８６は、画面データ処理部５１から送信される制御信号に応じて、メモリー８８から前記第１画面データ又は前記第２画面データを取得し、前記第１画面データ又は前記第２画面データに基づく画面を操作表示部６に表示させる。
【００４１】
ここで、表示処理部８６は、予め設定されたカラーテーブルで指定された色を用いて前記第２画面データに基づく画面表示を行う。例えば、画像処理装置１０では、前記第１画面データに基づいて表示される画面の表示色から選択された２５６色で構成される複数のカラーテーブルが予め前記ＲＯＭに記憶されている。画面データ処理部５１は、前記ＲＯＭに記憶された複数の前記カラーテーブルのいずれかをメモリー８８に記憶させる。そして、画面データ処理部５１は、表示処理部８６に制御信号を送信して、表示処理部８６にメモリー８８に記憶されている前記カラーテーブルを取得させることで、表示処理部８６に前記カラーテーブルを設定する。
【００４２】
一方、画像処理装置１０では、前記第２画面データの８ビットの画素データ各々が前記カラーテーブルのテーブル番号に対応している。表示処理部８６は、画面データ処理部５１により設定された前記カラーテーブルに基づいて、前記第２画面データの８ビットの画素データ各々を前記カラーテーブルで指定された色を示す２５６ビットの画素データに変換する。そして、表示処理部８６は、変換後の前記第２画面データに基づく画面を操作表示部６に表示させる。
【００４３】
［表示画面制御処理］
以下、図４を参照しつつ、画像処理装置１０において第１制御部５が前記表示画面制御プログラムに従って実行する表示画面制御処理の手順の一例について説明する。ここで、ステップＳ１、Ｓ２・・・は、第１制御部５により実行される処理手順（ステップ）の番号を表している。なお、第１制御部５は、予め定められた操作表示部６の点灯条件を充足した場合に、前記表示画面制御処理を実行する。例えば、前記点灯条件は、ユーザーによる操作表示部６に対する操作があったこと等である。また、第１制御部５は、予め定められた操作表示部６の消灯条件を充足した場合に、前記表示画面制御処理を終了する。例えば、前記消灯条件は、操作表示部６に対する無操作状態が予め定められた時間継続したこと等である。
【００４４】
＜ステップＳ１＞
まず、ステップＳ１において、第１制御部５は、前記ジョブが実行されているか否かを判断する。
【００４５】
ここで、第１制御部５は、前記ジョブが実行されていると判断すると（Ｓ１のＹｅｓ側）、処理をステップＳ２に移行させる。なお、第１制御部５からの前記ジョブの実行指示に応じて実行されるジョブ実行部８Ｘの処理が、本発明における第１ステップの一例である。また、前記ジョブが実行されていなければ（Ｓ１のＮｏ側）、第１制御部５は、処理をステップＳ１１に移行させる。
【００４６】
＜ステップＳ１１＞
ステップＳ１１において、第１制御部５は、前記ＲＯＭに記憶されている前記第１画面データをメモリー８８に記憶させる。
【００４７】
＜ステップＳ１２＞
ステップＳ１２において、第１制御部５は、メモリー８８に記憶されている前記第１画面データの取得指示を表示処理部８６に送信する。これにより、表示処理部８６は、メモリー８８から前記第１画面データを取得して、前記第１画面データに基づく画面を操作表示部６に表示させる。
【００４８】
＜ステップＳ２＞
一方、ステップＳ２において、第１制御部５は、前記ＲＯＭに記憶されている複数の前記カラーテーブルのいずれかをメモリー８８に記憶させる。そして、第１制御部５は、メモリー８８に記憶されている前記カラーテーブルの設定指示を表示処理部８６に送信する。これにより、メモリー８８に記憶されている前記カラーテーブルが表示処理部８６に設定される。
【００４９】
＜ステップＳ３＞
ステップＳ３において、第１制御部５は、前記ＲＯＭに記憶されている前記第２画面データをメモリー８８に記憶させる。ここに、ステップＳ１、ステップＳ１１、及びステップＳ３の処理が、本発明における第２ステップの一例であって、第１制御部５の画面データ処理部５１により実行される。
【００５０】
＜ステップＳ４＞
ステップＳ４において、第１制御部５は、メモリー８８に記憶されている前記第２画面データの取得指示を表示処理部８６に送信する。これにより、表示処理部８６は、メモリー８８から前記第２画面データを取得して、前記第２画面データに基づく画面を操作表示部６に表示させる。ここに、ステップＳ１２又はステップＳ４の処理に応じて実行される表示処理部８６の処理が、本発明における第３ステップの一例である。
【００５１】
ここで、表示処理部８６は、ステップＳ２で設定された前記カラーテーブルで指定された色を用いて前記第２画面データに基づく画面表示を行う。これにより、表示処理部８６に設定される前記カラーテーブルを変更することで、前記第２画面データに基づく画面の表示態様の幅を広げることが可能である。
【００５２】
このように、前記表示画面制御処理では、前記ジョブが実行されていない場合はメモリー８８に前記第１画面データが記憶され、前記ジョブが実行されている場合はメモリー８８に前記第１画面データよりデータ量が少ない前記第２画面データが記憶される。これにより、前記ジョブの実行中に画面表示が行われることによる前記ジョブの実行速度の低下が簡素な構成で抑制される。
【００５３】
なお、画像処理装置１０において、前記第２画面データに基づいて表示される画面サイズが、前記第１画面データに基づいて表示される画面サイズより小さい構成が他の実施形態として考えられる。例えば、前記第１画面データと前記第２画面データとで、１画素当たりのデータ量が同じである一方で、前記第２画面データに含まれる画素数が前記第１画面データに含まれる画素数よりも少ない構成が考えられる。
【００５４】
この場合、表示処理部８６が、前記第２画面データに基づく表示画面を拡大することが考えられる。これにより、前記第１画面データに基づく表示画面と前記第２画面データに基づく表示画面とで画面サイズが異なる場合にユーザーが感じる違和感を軽減することが可能である。具体的に、表示処理部８６は、前記第２画面データに基づく表示画面が前記第１画面データに基づく表示画面と同じ表示サイズになるように予め設定された倍率で前記第２画面データに基づく表示画面を拡大することが考えられる。
【符号の説明】
【００５５】
１  ：ＡＤＦ
２  ：画像読取部
３  ：画像形成部
４  ：給紙部
５  ：第１制御部
５１：画面データ処理部
６  ：操作表示部
７  ：記憶部
８  ：第２制御部
８０：バス
８１：画像入力部
８２：画像処理部
８３：画像出力部
８４：ネットＩ／Ｆ
８５：ファクスＩ／Ｆ
８６：表示処理部
８７：メモリーコントローラー
８８：メモリー
８９：調停部
１０：画像処理装置
【図１】
2016111465.tif 000003
【図２】
2016111465.tif 000004
【図３】
2016111465.tif 000005
【図４】
2016111465.tif 000006